(57)【要約】【課題】より効果的に粒子の集積の低減を実現可能な光ディスク装置を提供することを目的とする。【解決手段】情報記録媒体である光ディスクを回転自在に支持するターンテーブルと、前記ターンテーブル上に支持された光ディスクの情報記録面から情報の読み出し又は書き込みを行う光ピックアップとを有する光ディスク装置であって、前記ターンテーブルは、当該ターンテーブルの回転軸の回転に応じて該回転軸から遠心方向に送風を行う遠心方向送風機構を備えたことを特徴とする光ディスク装置。【選択図】図１
2009140602.tif 000002
【特許請求の範囲】
【請求項１】
情報記録媒体である光ディスクを回転自在に支持するターンテーブルと、
前記ターンテーブル上に支持された光ディスクの情報記録面から情報の読み出し又は書き込みを行う光ピックアップとを有する光ディスク装置であって、
前記ターンテーブルは、当該ターンテーブルの回転軸の回転に応じて該回転軸から遠心方向に送風を行う遠心方向送風機構を備えたことを特徴とする光ディスク装置。
【請求項２】
前記ターンテーブルは、当該ターンテーブルの上部側には空気流入口が、底部側には空気流出口が設けられ、さらに、前記空気流入口には集塵フィルタが設けられたことを特徴とする請求項１に記載の光ディスク装置。
【発明の詳細な説明】
【技術分野】
【０００１】
本発明は、光ディスク装置に関する。
【背景技術】
【０００２】
従来、CD-ROMドライブ等の光ディスク装置において用いられる光ピックアップの対物レンズ（以降、「ピックアップレンズ」とする。）に埃等の異物が付着すると、光ディスクに記憶されているデータの読み取りミス等の原因となる。また、耐埃構造を有する光ディスク装置であっても、ディスクトレイの開閉動作などの際に埃が光ディスク装置内部に入ってしまい、ピックアップレンズの表面に埃などの異物が付着してしまうことは避けられない。
【０００３】
このような光ディスク装置のピックアップレンズ上における埃等の異物の付着を防止するために各種発明がなされてきている。
【０００４】
例えば、特許文献１には、ディスク回転方向上流側のディスク上面に空気取込用開口が形成されるとともに、前記空気取込用開口と連通し、当該空気取込用開口のディスク回転方向下流側のディスク裏面に空気噴出用開口が形成されるクリーニング用ディスクに係る技術が開示されている。
【０００５】
また、特許文献２には、CD-ROM装置のスタンバイ時およびパワーオフ時にピックアップレンズをカバーし、塵埃の蓄積を防止する技術が開示されている。さらに、特許文献３には、空気流を対物レンズから離れるように偏向させるための空気流手段を備えた光学データ記憶システムに係る技術が開示されている。
【特許文献１】特開２００３―２９６９５５号公報
【特許文献２】特開平０８―３３９５６５号公報
【特許文献３】特開平０５―２５０７１３号公報
【発明の開示】
【発明が解決しようとする課題】
【０００６】
ところで、特許文献３に開示された発明では、ピックアップレンズ上に翼を備え、翼が回転ディスクからの遠心気流をピックアップレンズからそらすようにすることにより、粒子の集積を低減している。
【０００７】
しかしながら、特許文献３に開示された技術では、回転ディスクからの遠心気流を利用しているが、回転ディスクは積極的に気流を発生させるものではないために発生する気流が小さかった。また、粒子を含む空気流がピックアップレンズ上を通るため、粒子の混じった空気が対流を起こすことにより、粒子の再付着が発生していた。
【０００８】
そのため、粒子の集積の低減を十分に実現できていないという問題があった。
【０００９】
本発明は、上記の点に鑑みて、この問題を解消するために発明されたものであり、より効果的に粒子の集積の低減を実現する光ディスク装置を提供することを目的とする。
【課題を解決するための手段】
【００１０】
上記の目的を達成するために、本発明における光ディスク装置は、情報記録媒体である光ディスクを回転自在に支持するターンテーブルと、前記ターンテーブル上に支持された光ディスクの情報記録面から情報の読み出し又は書き込みを行う光ピックアップとを有する光ディスク装置であって、前記ターンテーブルは、当該ターンテーブルの回転軸の回転に応じて該回転軸から遠心方向に送風を行う遠心方向送風機構を備えたように構成することができる。
【００１１】
また、上記の目的を達成するために、本発明における前記ターンテーブルは、当該ターンテーブルの上部側には空気流入口が、底部側には空気流出口が設けられ、さらに、前記空気流入口には集塵フィルタが設けられたように構成することができる。
【発明の効果】
【００１２】
本発明によれば、より効果的に粒子の集積の低減を実現する光ディスク装置を提供することができる。
【発明を実施するための最良の形態】
【００１３】
以下、本発明を実施するための最良の形態を図面に基づき説明する。
【００１４】
［実施の形態］
（装置の概要）
図１は、本実施形態における光ディスク装置の概要を示す図である。図１において、光ディスク装置１は、回転台２、ピックアップレンズ３、光ディスク４等を有する構成である。なお、図１では、光ディスク装置１の概要を示すために簡略化して示している。
【００１５】
光ディスク装置１は、情報記録媒体であるCD-R(又はCD-RW),DVD-R(又はDVD-RW)等の光ディスクに記憶される情報の読み出し又は書き込みを行う、パソコン等のコンピュータ機器用のCD-ROMドライブや、DVD-ROMドライブ等のディスク装置である。また、本実施形態における光ディスク装置１が、自動車等の車両のインパネ（インストルメントパネル）内部に搭載されているカーナビ装置等に用いられる場合は、当該車両の吸排気のための経路と隣接しているため、埃、砂塵等の粒子を含む空気が浸入しやすくなるので、このような埃、砂塵等の粒子の集積を低減することが望ましい。
【００１６】
回転台２は、光ディスク４を回転自在に支持するターンテーブル及び光ディスク４をターンテーブルに圧接してターンテーブルと一体に回転させるクランパ等により構成される、光ディスク４を回転自在に支持するための回転体である。
【００１７】
図２は、本実施形態１における回転台の概要を示す図である。図２（ａ）、（ｂ）は、それぞれ図１の回転台２の上面投影図、側面投影図を示している。
【００１８】
本実施形態によれば、図２に示すように回転台２にはファン（例えば遠心ファンである多翼ファン）５が設けられている。このように回転台２はファン５を備えることにより、回転台２は非図示のスピンドルモータによる当該回転台２の回転に応じて、回転台２の回転軸から遠心方向に送風を行う。即ち、本実施形態における回転台２はこのような送風機能を実現する遠心方向送風機構を備えている。なお、スピンドルモータ等を含む回転台２の回転に係る制御機構については既知であるため、ここでは説明を省略する。
【００１９】
これにより、回転台２からの遠心気流を後述のピックアップレンズ３からそらすようにし、粒子の集積を低減することができる。つまり、光ディスク４の回転と同時に、ピックアップレンズ３周辺に空気流を発生させることにより、ピックアップレンズ３への粒子付着を予防することができる。光ディスク４の読み取りのため回転台２が回転すると、回転台２に取り付けられたファン５によりピックアップレンズ３の上方に気流が発生し、ピックアップレンズ３への粒子の堆積を防止する。
【００２０】
なお、ファン自体は回転台２に直接取り付けられているため、新たな動力を必要とせず、回転台２を回転させる動力と同一である。このように簡易な構成により、デッキ内の風の流れを新たに作ることが可能になるため、デッキ外の風の流れは不変となる。
【００２１】
なお、ファン５は、図２に示す多翼ファンに限らない。遠心方向に送風を行う遠心ファンであれば、例えば後向きファン、サイレントファン、リミットロードファン、翼形ファン等その他の形状のファンであってもよいものとする。
【００２２】
また、図２に示す回転台２には、上部側及び下部側に空気流入口２ａ及び空気流出口２ｂが設けられている。これらの空気流入口２ａ及び空気流出口２ｂは、気流を生み出すファン５と、気流の流れを作るための空気の取り入れ穴（空気流入口２ａ）と吐き出し穴（空気流出口２ｂ）の相互作用により、空気の対流が発生するようにするためのものである。これにより、図１の矢印で示されるような空気の流れが発生するようになる。
【００２３】
さらに、上部側の空気流入口２ａにはフィルタ６（集塵フィルタ）が設けられている。これは、空気流入口２ａから空気流出口２ｂへ流れる空気中の粒子がピックアップレンズ３上へ流入することを防ぎ、きれいな空気をピックアップレンズ３に送ることで粒子の再付着を防止するために設けられたものである。例えばスポンジ等である。これにより、ピックアップレンズ３上への粒子の堆積を防止する利点が大きくなる。
【００２４】
図１に戻り、ピックアップレンズ３は、回転台２上に支持された光ディスク４の情報記録面から情報の読み出し又は書き込みを行う光ピックアップにおいて、光ディスク４に向かってレーザー光を当てて情報の読み出し又は書き込みを行うレンズである。
【００２５】
光ディスク４は、CD-R(又はCD-RW),DVD-R(又はDVD-RW)等の情報記録媒体である。
【００２６】
以上の構成により、本実施形態に係る光ディスク装置１によれば、空気中に含まれる埃、砂塵等の粒子がピックアップレンズ３上に集積することを簡易な構成で且つ新たな動力を用いずに防止することができる。
【００２７】
［実施の形態の変形例］
（装置の概要）
図４は、本実施形態の変形例における光ディスク装置の概要を示す図である。図４において、光ディスク装置１は、回転台２、ピックアップレンズ３、光ディスク４、吸気（排気）スロット７等を有する構成である。
【００２８】
図４に示す光ディスク装置１における各構成要素（回転台２、ピックアップレンズ３、光ディスク４）等は前述の実施の形態と同様であるので、ここでは説明を省略する。
【００２９】
吸気（排気）スロット７は、当該光ディスク装置１の外部との間で吸気（又は排気）を行うために設けられた空気の取り入れ穴（又は吐き出し穴）である。
【００３０】
従来の光ディスク装置では、外部からの埃、砂塵等の粒子を含む空気の浸入を防ぐために、その密封性を高めるという観点での開発が行われることが多い。しかしながら、吸気（排気）スロット７が設けられた本実施形態に係る光ディスク装置１によれば、吸気（排気）スロット７により外部からの埃、砂塵等の粒子を含む空気の浸入の密封性が十分でない場合であっても、前述の実施の形態に述べたような機構により、空気中に含まれる埃、砂塵等の粒子がピックアップレンズ３上に集積することを簡易な構成で且つ新たな動力を用いずに防止することができる。
【００３１】
以上、実施形態に基づき本発明の説明を行ってきたが、上記実施形態にあげたその他の要素との組み合わせなど、ここで示した要件に本発明が限定されるものではない。これらの点に関しては、本発明の主旨をそこなわない範囲で変更することが可能であり、その応用形態に応じて適切に定めることができる。
【図面の簡単な説明】
【００３２】
【図１】本実施形態における光ディスク装置の概要を示す図である。
【図２】本実施形態における回転台の概要を示す図である。
【図３】本実施形態の変形例における光ディスク装置の概要を示す図である。
【符号の説明】
【００３３】
１           光ディスク装置
２           回転台
２ａ       空気流入口
２ｂ       空気流出口
３           ピックアップレンズ
４           光ディスク
５           ファン
６           フィルタ
７           吸気（排気）スロット
【図１】
2009140602.tif 000003
【図２】
2009140602.tif 000004
【図３】
2009140602.tif 000005